(57)【要約】【課題】本人以外の者による携帯機器の使用を確実に防止する。【解決手段】個人用電界通信装置から送信される個人識別情報と、制御用電界通信装置に格納された個人識別情報とが一致した場合に、制御用電界通信装置を配置する携帯機器を動作させることで、個人用電界通信装置を所持しない第三者による携帯機器の操作を防止する。【選択図】図１
2007195026.tif 000002
【特許請求の範囲】
【請求項１】
電界を電界伝達媒体に誘起して相互に電界通信を行う携帯可能な個人用電界通信装置及び携帯機器に配置される制御用電界通信装置を備えた電界通信制御システムであって、
前記個人用電界通信装置は、
個人識別情報を格納しておく第１格納手段と、
前記個人識別情報を、送信電極から前記電界伝達媒体を介して前記制御用電界通信装置へ送信する送信手段とを有し、
前記制御用電界通信装置は、
個人識別情報を格納しておく第２格納手段と、
送信されてきた個人識別情報を、受信電極を介して受信する受信手段と、
前記個人識別情報を受信した場合に、個人識別情報を前記第２格納手段から読み出して、受信した個人識別情報と照合する第１照合手段と、
前記第１照合手段により照合した結果、両者が一致した場合に当該携帯機器の動作を許可する制御を行う制御手段と、
を有することを特徴とする電界通信制御システム。
【請求項２】
特定のエリアに配置されるエリア用電界通信装置を更に有し、
前記エリア用電界通信装置は、
エリア識別情報を格納しておく第３格納手段と、
前記エリア識別情報を、送信電極から前記電界伝達媒体を介して前記制御用電界通信装置へ送信する送信手段とを有し、
前記制御用電界通信装置は、
エリア識別情報を格納しておく第４格納手段と、
送信されてきたエリア識別情報を、受信電極を介して受信する受信手段と、
前記エリア識別情報を受信した場合に、エリア識別情報を前記第４格納手段から読み出して、受信したエリア識別情報と照合する第２照合手段とを更に有し、
前記制御手段は、前記第１照合手段により照合した結果、両者が一致した場合、尚且つ前記第２照合手段により照合した結果、両者が一致した場合に当該携帯機器の動作を許可することを特徴とする請求項１記載の電界通信制御システム。
【請求項３】
電界を電界伝達媒体に誘起して相互に電界通信を行う携帯可能な個人用電界通信装置及び携帯機器に配置される制御用電界通信装置で処理する電界通信制御方法であって、
前記個人用電界通信装置により、
個人識別情報を格納手段から読み出して、送信電極から前記電界伝達媒体を介して前記制御用電界通信装置へ送信する第１ステップを有し、
前記制御用電界通信装置により、
送信されてきた個人識別情報を、受信電極を介して受信する第２ステップと、
前記個人識別情報を受信した場合に、個人識別情報を格納手段から読み出して、受信した個人識別情報と照合する第３ステップと、
前記第３ステップにより照合した結果、両者が一致した場合に当該携帯機器の動作を許可する制御を行う第４ステップと、
を有することを特徴とする電界通信制御方法。
【請求項４】
特定のエリアに配置されるエリア用電界通信装置により、
エリア識別情報を格納手段から読み出して、送信電極から前記電界伝達媒体を介して前記制御用電界通信装置へ送信する第５ステップを有し、
前記制御用電界通信装置により、
送信されてきたエリア識別情報を、受信電極を介して受信する第６ステップと、
前記エリア識別情報を受信した場合に、エリア識別情報を格納手段から読み出して、受信したエリア識別情報と照合する第７ステップとを有し、
前記第４ステップは、前記第３ステップにより照合した結果、両者が一致した場合、尚且つ前記第７ステップにより照合した結果、両者が一致した場合に当該携帯機器の動作を許可することを特徴とする請求項３記載の電界通信制御方法。
【請求項５】
電界を電界伝達媒体に誘起して電界通信を行う携帯機器に配置される電界通信装置であって、
個人識別情報を格納しておく格納手段と、
他の電界通信装置から送信されてきた個人識別情報を、受信電極を介して受信する受信手段と、
前記個人識別情報を受信した場合に、個人識別情報を前記格納手段から読み出して、受信した個人識別情報と照合する第１照合手段と、
前記照合手段により照合した結果、両者が一致した場合に当該携帯機器の動作を許可する制御を行う制御手段と、
を有することを特徴とする電界通信装置。
【請求項６】
前記電界通信装置は、
エリア識別情報を格納しておく格納手段と、
他の電界通信装置から送信されてきたエリア識別情報を、受信電極を介して受信する受信手段と、
前記エリア識別情報を受信した場合に、エリア識別情報を前記格納手段から読み出して、受信したエリア識別情報と照合する第２照合手段と、
前記制御手段は、前記第１照合手段により照合した結果、両者が一致した場合、尚且つ前記第２照合手段により照合した結果、両者が一致した場合に当該携帯機器の動作を許可することを特徴とする請求項５記載の電界通信装置。
【請求項７】
前記制御手段は、前記個人識別情報を送信時の時間間隔で受信しない場合に当該携帯機器の動作を許可しない制御を行うことを特徴とする請求項５又は６記載の電界通信装置。
【請求項８】
前記制御手段は、前記エリア識別情報を送信時の時間間隔で受信しない場合に当該携帯機器の動作を許可しない制御を行うことを特徴とする請求項６又は７記載の電界通信装置。
【発明の詳細な説明】
【技術分野】
【０００１】
本発明は、電界伝達媒体に誘起される電界を利用して通信を行う電界通信装置を使用して、携帯機器の動作を制御する技術に関する。
【背景技術】
【０００２】
従来、携帯電話に保存されている着信履歴や通話履歴等を、自分以外の第三者に見られることを防止するために、暗証番号や指紋センサーを利用したキーロック機能や、携帯電話の置き忘れや紛失時にあらかじめ登録した他の電話機や公衆電話から遠隔操作することで第三者による使用を防ぐことができる遠隔ロック機能等が利用されていた（特許文献１参照）。
【特許文献１】特開２００３−２７４００６公報
【発明の開示】
【発明が解決しようとする課題】
【０００３】
しかしながら、従来の機能では、キーロック設定を忘れた場合や、紛失してから遠隔操作するまでの場合には、第三者による不正使用を許す可能性があり、それにより個人情報、通常他人に知られたくない事項、機密事項等の漏洩を誘発するという問題があった。
【０００４】
本発明は、上記を鑑みてなされたものであり、本人以外の者による携帯機器の使用を確実に防止することを課題とする。
【課題を解決するための手段】
【０００５】
第１の本発明に係る電界通信制御システムは、電界を電界伝達媒体に誘起して相互に電界通信を行う携帯可能な個人用電界通信装置及び携帯機器に配置される制御用電界通信装置を備えた電界通信制御システムであって、前記個人用電界通信装置は、個人識別情報を格納しておく第１格納手段と、前記個人識別情報を、送信電極から前記電界伝達媒体を介して前記制御用電界通信装置へ送信する送信手段とを有し、前記制御用電界通信装置は、個人識別情報を格納しておく第２格納手段と、送信されてきた個人識別情報を、受信電極を介して受信する受信手段と、前記個人識別情報を受信した場合に、個人識別情報を前記第２格納手段から読み出して、受信した個人識別情報と照合する第１照合手段と、前記第１照合手段により照合した結果、両者が一致した場合に当該携帯機器の動作を許可する制御を行う制御手段と、を有することを特徴とする。
【０００６】
本発明にあっては、個人用電界通信装置から送信される個人識別情報と、制御用電界通信装置に格納された個人識別情報とが一致した場合に、制御用電界通信装置を配置する携帯機器を動作させることで、個人用電界通信装置を所持しない第三者による携帯機器の操作を防止することができる。
【０００７】
上記電界通信制御システムにおいて、特定のエリアに配置されるエリア用電界通信装置を更に有し、前記エリア用電界通信装置は、エリア識別情報を格納しておく第３格納手段と、前記エリア識別情報を、送信電極から前記電界伝達媒体を介して前記制御用電界通信装置へ送信する送信手段とを有し、前記制御用電界通信装置は、エリア識別情報を格納しておく第４格納手段と、送信されてきたエリア識別情報を、受信電極を介して受信する受信手段と、前記エリア識別情報を受信した場合に、エリア識別情報を前記第４格納手段から読み出して、受信したエリア識別情報と照合する第２照合手段とを更に有し、前記制御手段は、前記第１照合手段により照合した結果、両者が一致した場合、尚且つ前記第２照合手段により照合した結果、両者が一致した場合に当該携帯機器の動作を許可することを特徴とする。
【０００８】
本発明にあっては、個人用電界通信装置から送信される個人識別情報と制御用電界通信装置に格納された個人識別情報とが一致した場合、尚且つエリア用電界通信装置から送信されるエリア識別情報と制御用電界通信装置に格納されたエリア識別情報とが一致した場合に、制御用電界通信装置を配置する携帯機器を動作させることで、たとえ制御用電界通信装置の有する個人識別情報と同一の個人識別情報を有する個人用電界通信装置を所持する人であっても、予め特定されたエリア以外では携帯機器の使用を不可能とすることができる。
【０００９】
第２の本発明に係る電界通信制御方法は、電界を電界伝達媒体に誘起して相互に電界通信を行う携帯可能な個人用電界通信装置及び携帯機器に配置される制御用電界通信装置で処理する電界通信制御方法であって、前記個人用電界通信装置により、個人識別情報を格納手段から読み出して、送信電極から前記電界伝達媒体を介して前記制御用電界通信装置へ送信する第１ステップを有し、前記制御用電界通信装置により、送信されてきた個人識別情報を、受信電極を介して受信する第２ステップと、前記個人識別情報を受信した場合に、個人識別情報を格納手段から読み出して、受信した個人識別情報と照合する第３ステップと、前記第３ステップにより照合した結果、両者が一致した場合に当該携帯機器の動作を許可する制御を行う第４ステップと、を有することを特徴とする。
【００１０】
上記電界通信制御方法において、特定のエリアに配置されるエリア用電界通信装置により、エリア識別情報を格納手段から読み出して、送信電極から前記電界伝達媒体を介して前記制御用電界通信装置へ送信する第５ステップを有し、前記制御用電界通信装置により、送信されてきたエリア識別情報を、受信電極を介して受信する第６ステップと、前記エリア識別情報を受信した場合に、エリア識別情報を格納手段から読み出して、受信したエリア識別情報と照合する第７ステップとを有し、前記第４ステップは、前記第３ステップにより照合した結果、両者が一致した場合、尚且つ前記第７ステップにより照合した結果、両者が一致した場合に当該携帯機器の動作を許可することを特徴とする。
【００１１】
第３の本発明に係る電界通信装置は、電界を電界伝達媒体に誘起して電界通信を行う携帯機器に配置される電界通信装置であって、個人識別情報を格納しておく格納手段と、他の電界通信装置から送信されてきた個人識別情報を、受信電極を介して受信する受信手段と、前記個人識別情報を受信した場合に、個人識別情報を前記格納手段から読み出して、受信した個人識別情報と照合する第１照合手段と、前記照合手段により照合した結果、両者が一致した場合に当該携帯機器の動作を許可する制御を行う制御手段と、を有することを特徴とする。
【００１２】
上記電界通信装置において、前記電界通信装置は、エリア識別情報を格納しておく格納手段と、他の電界通信装置から送信されてきたエリア識別情報を、受信電極を介して受信する受信手段と、前記エリア識別情報を受信した場合に、エリア識別情報を前記格納手段から読み出して、受信したエリア識別情報と照合する第２照合手段と、前記制御手段は、前記第１照合手段により照合した結果、両者が一致した場合、尚且つ前記第２照合手段により照合した結果、両者が一致した場合に当該携帯機器の動作を許可することを特徴とする。
【００１３】
上記電界通信装置において、前記制御手段は、前記個人識別情報を送信時の時間間隔で受信しない場合に当該携帯機器の動作を許可しない制御を行うことを特徴とする。
【００１４】
本発明にあっては、他の電界通信装置から送信される個人識別情報を送信時の時間間隔で受信しない場合には、携帯機器の動作を許可しない制御を行うので、携帯機器を把持していない場合における第三者による使用を防止することができる。
【００１５】
上記電界通信装置において、前記制御手段は、前記エリア識別情報を送信時の時間間隔で受信しない場合に当該携帯機器の動作を許可しない制御を行うことを特徴とする。
【００１６】
本発明にあっては、他の電界通信装置から送信される個人識別情報及びエリア識別情報を送信時の時間間隔で受信しない場合には、携帯機器の動作を許可しない制御を行うので、携帯機器を把持していない場合における第三者による使用を防止することができる。
【発明の効果】
【００１７】
本発明によれば、本人以外の者による携帯機器の使用を確実に防止することができる。
【発明を実施するための最良の形態】
【００１８】
以下、本発明の実施の形態について図面を用いて説明する。
【００１９】
［第１の実施の形態］
図１は、第１の実施形態に係る電界通信制御システムの構成を示す模式図である。図１に示すように、本電界通信制御システムは、人体８０に配置される個人用電界通信装置１、及び携帯機器３に配置される制御用電界通信装置２を有する構成である。
【００２０】
携帯機器３は、制御用電界通信装置２を配置するほか、携帯機器３が本来有する携帯電話機能３２、及び携帯電話機能３２に対して制御を行うスタンバイモード制御部３１を有する構成である。
【００２１】
制御用電界通信装置２を配置する例として、携帯電話、ＰＯＳシステム（Ｐｏｉｎｔ  Ｏｆ  Ｓａｌｅｓ  Ｓｙｓｔｅｍ）端末、工場や建設現場の無線コントローラ、有料コンテンツ閲覧用ハンディ端末等を利用することができる。
【００２２】
次に、個人用電界通信装置１について説明する。
【００２３】
まず、個人用電界通信装置１の構成について、図１を用いて説明する。個人用電界通信装置１は、情報処理を行う処理部１１、個人用電界通信装置１を保持している人物８０の個人識別情報を格納する格納部１２、及び電界を電界伝達媒体としての人体８０に誘起する通信回路１５と電極１６とを有する構成である。格納部１２及び通信回路１５は処理部１１に接続され、電極１６は通信回路１５に接続されている。
【００２４】
続いて、個人用電界通信装置１の動作について説明する。個人用電界通信装置１は、電界伝達媒体としての人体８０に配置されるものであって、人物８０を識別することが可能な個人識別情報を格納部１２に格納し、処理部１１により個人識別情報を格納部１２から読み出して、通信回路１５により電極１６から電界を個人用電界通信装置１を保持している人体８０に誘起し、個人識別情報を電極１６から人体８０に一定の時間間隔Ｔ１で送信する。尚、通信回路１５の構成及び動作については後述する。
【００２５】
次に、制御用電界通信装置２について説明する。
【００２６】
まず、制御用電界通信装置２の構成について、図１を用いて説明する。制御用電界通信装置２は、情報処理を行う処理部２１、個人識別情報を格納する格納部２２、個人用電界通信装置１から送信されてきた個人識別情報と格納部２２に格納された個人識別情報とを照合する照合部２３、携帯機器３のスタンバイモード制御部３１に対して動作を許可する制御又は動作を許可しない制御を行う制御部２４、及び電界を電界伝達媒体に誘起する通信回路２５と電極２６とを有する構成である。格納部２２、照合部２３、制御部２４、及び通信回路２５は処理部２１に接続され、電極２６は通信回路２５に接続されている。尚、制御用電界通信装置２の主要部は演算処理装置で構成され、各部の処理はプログラムで実行される。
【００２７】
続いて、制御用電界通信装置２の動作について説明する。制御用電界通信装置２は、携帯機器３に配置されるものであって、個人識別情報を格納部２２に格納する。人物８０が携帯機器３に接触した場合に、制御用電界通信装置２は、個人用電界通信装置１から送信される個人識別情報を、人体８０を介して通信回路２５により電極２６で受信する。その後、制御用電界通信装置２は、処理部２１により格納部２２から個人識別情報を読み出し、受信した個人識別情報と読み出した個人識別情報とを照合部２３により照合する。照合の結果、両者が一致する場合に、制御部２４によりスタンバイモード制御部３１に対して携帯電話機能３２の動作を許可する制御を行う。
【００２８】
また、制御用電界通信装置２は、個人用電界通信装置１から送信される個人識別情報を、送信時の時間間隔Ｔ１で受信しない場合に、制御部２４によりスタンバイモード制御部３１に対して携帯機器３の動作を許可しない制御を行う。
【００２９】
次に、個人用電界通信装置１における通信回路１５、及び制御用電界通信装置２における通信回路２５の構成及び動作について説明する。
【００３０】
図２は、通信回路１５及び通信回路２５の共通の構成を示すブロック図である。以下、通信回路１５を例に説明する。
【００３１】
図２に示すように、処理部１１と電極１６との間を接続する通信回路１５は、インタフェース５０を介して処理部１１に接続される。通信回路１５は、この処理部１１からインタフェース５０を介して他の電界通信装置に送信するための送信データを受け取ると、レベル調整回路５１で送信データの信号振幅を調整してから、送信回路５２を介して送信電極１６ａに供給するようになっている。
【００３２】
送信電極１６ａは、送信回路５２から送信データが供給されると、この送信データに対応する電界を電界伝達媒体１００に誘起する。この誘起された電界は、電界伝達媒体１００を伝達して、他の電界通信装置の受信電極１６ｂで受信される。
【００３３】
電界検出光学部５３は、受信電極１６ｂで受信した電界が供給され、電界光学手法を利用した電界検出光学部５３内で別途発生するレーザ光を偏光変化させ、この偏光変化したレーザ光を受光回路５４で電気信号に変換する。この電気信号は、バンドパスフィルタ５５での帯域制限により不要な雑音が除去され、更に波形整形回路５６で波形が整形されてから、インタフェース５０を介して処理部１１に供給されるようになっている。
【００３４】
なお、送信電極１６ａと受信電極１６ｂは、一体化して１つの電極１６で各電極を構成してもよいものである。
【００３５】
次に、図１を参照し、本実施形態に係る電界通信制御システムの全体的な動作について説明する。
【００３６】
制御用電界通信装置２は、携帯機器３に配置されるものであって、予め、個人識別情報を格納部２２に格納する。人物８０が携帯機器３に接触した場合、人物８０が保持する個人用電界通信装置１は、処理部１１により、その人物８０の個人識別情報を格納部１２から読み出して、電極１６から電界伝達媒体としての人体８０へ電界により送信する。
【００３７】
その後、制御用電界通信装置２は、処理部２１により、人体８０を介して送信されてきた人物８０の個人識別情報を、通信回路２５により電極２６で受信する。制御用電界通信装置２は、処理部２１により格納部２２から個人識別情報を読み出し、受信した人物８０の個人識別情報と読み出した個人識別情報とを照合部２３により照合する。照合の結果、両者が一致する場合に、制御部２４によりスタンバイモード制御部３１に対して携帯電話機能３２の動作を許可する制御を行う。
【００３８】
また、制御用電界通信装置２は、個人用電界通信装置１から送信される個人識別情報を、送信時の時間間隔Ｔ１で受信しない場合に、制御部２４によりスタンバイモード制御部３１に対して携帯機器３の動作を許可しない制御を行う。
【００３９】
従って、本実施形態にあっては、個人用電界通信装置１から送信される個人識別情報と、制御用電界通信装置２に格納された個人識別情報とが一致した場合に、制御用電界通信装置２を配置する携帯機器３を動作させることで、個人用電界通信装置１を所持しない第三者による携帯機器３の操作を防止することができる。
【００４０】
［第２の実施の形態］
図３は、第２の実施形態に係る電界通信制御システムの構成を示す模式図である。図３に示すように、本電界通信制御システムは、図１で示した第１の実施形態に係る電界通信制御システムの構成に、特定エリア８１に配置されるエリア用電界通信装置４を追加した構成である。個人用電界通信装置１の構成及び動作については、第１の実施形態で説明したものと同様であるので、ここでは重複した説明は省略する。
【００４１】
まず、エリア用電界通信装置４について説明する。
【００４２】
エリア用電界通信装置４は、エリア識別情報を格納する格納部４２を有する構成である。エリア識別情報は、特定エリア８１を他のエリアから識別することが可能な識別情報である。エリア用電界通信装置４は、エリア識別情報を一定の時間間隔Ｔ２で送信し、その他の構成及び動作については、第１の実施形態で説明した個人用電界通信装置１と同様である。通信回路４５の構成及び動作についても、図２を用いて説明したものと同様である。
【００４３】
続いて、本実施形態における制御用電界通信装置２について説明する。
【００４４】
まず、制御用電界通信装置２の構成について、図３の模式図を用いて説明する。制御用電界通信装置２は、個人識別情報のほかエリア識別情報を更に格納する格納部２２、及び個人用電界通信装置１から送信されてきた個人識別情報と格納部２２に格納された個人識別情報とを照合すると共にエリア用電界通信装置４から送信されるエリア識別情報と格納部２２に格納されたエリア識別情報とを照合する照合部２３を有する構成であり、その他の構成については、第１の実施形態で説明したものと同様である。
【００４５】
次に、制御用電界通信装置２の動作について説明する。制御用電界通信装置２は、携帯機器３に配置されるものであって、個人識別情報及びエリア識別情報を格納部２２に格納する。人物８０が携帯機器３に接触した場合における制御用電界通信装置２による個人識別情報の照合を行う動作については、第１の実施形態と同様である。
【００４６】
本実施形態では、制御用電界通信装置２は、更に、その人物８０が特定エリア８１に接触した場合に、エリア用電界通信装置４から送信されるエリア識別情報を、人体８０と特定エリア８１とを介して通信回路２５により電極２６で受信する。その後、制御用電界通信装置２は、処理部２１により格納部２２からエリア識別情報を読み出し、受信したエリア識別情報と読み出したエリア識別情報とを照合部２３により照合する。
【００４７】
個人識別情報の照合結果が一致する場合、尚且つエリア識別情報の照合結果が一致する場合に、制御部２４によりスタンバイモード制御部３１に対して携帯電話機能３２の動作を許可する制御を行う。
【００４８】
また、制御用電界通信装置２は、個人用電界通信装置１から送信される個人識別情報を送信時の時間間隔Ｔ１で受信しない場合、尚且つエリア用電界通信装置４から送信されるエリア識別情報を送信時の時間間隔Ｔ２で受信しない場合に、制御部２４によりスタンバイモード制御部３１に対して携帯機器３の動作を許可しない制御を行う。
【００４９】
次に、図３を参照し、本実施形態に係る電界通信制御システムの全体的な動作について説明する。
【００５０】
制御用電界通信装置２は、携帯機器３に配置されるものであって、予め、個人識別情報及びエリア識別情報を格納部２２に格納する。人物８０が携帯機器３に接触した場合における制御用電界通信装置２による個人識別情報の照合を行う動作については、第１の実施形態と同様である。
【００５１】
当該人物８０が、更に、エリア用電界通信装置４を配置する特定エリア８１に接触した場合、特定エリア８１を識別するエリア識別情報が格納部４２に格納されたエリア用電界通信装置４は、処理部４１により、その特定エリア８１のエリア識別情報を格納部４２から読み出して、電極４６から電界伝達媒体としての特定エリアへ電界により送信する。
【００５２】
その後、制御用電界通信装置２は、処理部２１により、人体８０と特定エリア８１とを介して送信されてくる特定エリア８１のエリア識別情報を、通信回路２５により電極２６で受信する。制御用電界通信装置２は、処理部２１により格納部２２からエリア識別情報を読み出し、受信した特定エリア８１のエリア識別情報と読み出したエリア識別情報とを照合部２３により照合する。
【００５３】
個人識別情報の照合結果が一致する場合、尚且つエリア識別情報の照合結果が一致する場合に、制御部２４によりスタンバイモード制御部３１に対して携帯機器３の動作を許可する制御を行う。
【００５４】
また、制御用電界通信装置２は、個人用電界通信装置１から送信される個人識別情報を送信時の時間間隔Ｔ１で受信しない場合、尚且つエリア用電界通信装置４から送信されるエリア識別情報を送信時の時間間隔Ｔ２で受信しない場合に、制御部２４によりスタンバイモード制御部３１に対して携帯機器３の動作を許可しない制御を行う。
【００５５】
従って、本実施形態にあっては、個人用電界通信装置１から送信される個人識別情報と制御用電界通信装置２に格納された個人識別情報とが一致した場合、尚且つエリア用電界通信装置４から送信されるエリア識別情報と制御用電界通信装置２に格納されたエリア識別情報とが一致した場合に、制御用電界通信装置２を配置する携帯機器３を動作させることで、たとえ制御用電界通信装置２の有する個人識別情報と同一の個人識別情報を有する個人用電界通信装置１を所持する人であっても、予め特定されたエリア以外では携帯機器３の使用を不可能とすることができる。
【図面の簡単な説明】
【００５６】
【図１】第１の実施形態に係る電界通信制御システムの構成を示す模式図である。
【図２】通信回路の構成を示すブロック図である。
【図３】第２の実施形態に係る電界通信制御システムの構成を示す模式図である。
【符号の説明】
【００５７】
１…個人用電界通信装置
２…制御用電界通信装置
３…携帯機器
４…エリア用電界通信装置
１１，２１，４１…処理部
１２，２２，４２…格納部
１５，２５，４５…通信回路
１６，２６，４６…電極
１６ａ…送信電極
１６ｂ…受信電極
２３…照合部
２４…制御部
３１…スタンバイモード制御部
３２…携帯電話機能
５０…インタフェース
５１…レベル調整回路
５２…送信回路
５３…電界検出光学部
５４…受光回路
５５…バンドパスフィルタ
５６…波形整形回路
８０…人物（人体）
８１…特定エリア
１００…電界伝達媒体
【図１】
2007195026.tif 000003
【図２】
2007195026.tif 000004
【図３】
2007195026.tif 000005